(57)【特許請求の範囲】
【請求項１】
外周面に各種図柄が表示された図柄表示体を駆動モータの駆動により回転させるよう構成された図柄表示ユニットを、矩形箱状の収容ケースに収容した遊技機用の図柄表示装置において、
前記図柄表示ユニットは、
前記図柄表示体の内側から図柄を照明する発光体および前記駆動モータからの配線が接続される配線接続手段の夫々が表面に表面実装されると共に、所要位置に開口部が開設されたプリント配線板と、
前記駆動モータが配設されると共に前記開口部に駆動モータを挿通した状態でプリント配線板の裏面に固定される金属製のベース板金とを備え、
前記ベース板金には、前記収容ケースの壁面に形成されたネジ挿通孔に該収容ケースの内側から整列するネジ孔が形成され、
前記収容ケースには、前記プリント配線板およびベース板金が重なり合う部位を挟んだ状態で支持する挟持部が形成され、
前記収容ケースの外側には、該収容ケースに形成されたネジ挿通孔に整列するネジ挿通孔が形成された金属枠部材が、該収容ケースの外面を囲繞するように組み付けられ、
前記収容ケースの外側から前記金属枠部材に形成されたネジ挿通孔および収容ケースに形成されたネジ挿通孔の各々に挿通したネジを前記ベース板金に形成されたネジ孔に螺挿することで、前記図柄表示ユニットを前記収容ケース内に固定するよう構成した
ことを特徴とする遊技機用の図柄表示装置。
【請求項２】
前記金属枠部材は、前記収容ケースの上壁面から後壁面まで延在する上側金属部材と、該収容ケースの下壁面から後壁面まで延在し、該後壁面の外側で前記上側金属部材と重なる下側金属部材とから構成され、
前記上側金属部材および下側金属部材の重なった部分に、両金属部材を貫通するように前記ネジ挿通孔が各々形成され、
前記上側金属部材に形成されたネジ挿通孔および前記下側金属部材に形成したネジ挿通孔に挿通した前記ネジにより、該上側金属部材および下側金属部材が前記収容ケースに固定される請求項１記載の遊技機用の図柄表示装置。
【発明の詳細な説明】
【技術分野】
【０００１】
本発明は、駆動モータの駆動により各種図柄を表示した図柄表示体が回転する図柄表示ユニットを、所定の収容ケースに収容した遊技機用の図柄表示装置に関するものである。
【背景技術】
【０００２】
代表的な遊技機であるパチンコ機は、機内にセットされる遊技盤の盤面に画成した遊技領域の略中央位置に装飾部材が配設されて、該装飾部材に形成した開口部からドラム式やベルト式等の図柄表示装置を臨ませ、この図柄表示装置で図柄変動ゲーム等の遊技演出を行なうよう構成されている。例えば、ドラム式の図柄表示装置としては、特許文献１に開示されるように、プリント配線板に駆動モータを配設すると共に、外周面に各種図柄を表示した平プーリ形の図柄ドラムを駆動モータの回転軸に軸支するよう構成された複数の図柄表示ユニットを、前方に開口する収容ケース内に収容したものが一般に知られている。そして、図柄表示装置における各図柄表示ユニットの駆動モータを駆動することで、各図柄ドラムが回転して図柄変動ゲームが行なわれるようになっている。また、前記各図柄表示ユニットのプリント配線板の表面には、前記図柄ドラムに表示した図柄をドラムの内側から照明する照明手段や、駆動モータに接続する配線を接続する配線接続手段等が実装されている。
【特許文献１】特開２００１−１８７１９８号公報
【発明の開示】
【発明が解決しようとする課題】
【０００３】
ところで、前記図柄表示ユニットを収容ケースに収容した状態では、該図柄表示ユニットは、収容ケース内に形成した保持部により前記プリント配線板の上下および前後の四隅で保持されている。この図柄表示装置は、パチンコ機を遊技店に設置して遊技に供する段階では特に問題が生ずることはない。しかしながら、この図柄表示装置や、図柄表示装置を装着したパチンコ機を運搬等する際には、振動に伴う衝撃が保持部で保持されたプリント配線板に集中することから、プリント配線板において保持部で保持された部位が損傷する虞があり、プリント配線板が損傷した場合には図柄表示ユニットが外れてしまう問題が指摘される。また、プリント配線板が損傷した場合には、損傷した図柄表示ユニット全体を交換する必要があり、煩雑な交換作業を要すると共に、コスト増大に繋がってしまう。
【０００４】
前述したプリント配線板の損傷を防止するには、金属製の板金をプリント配線板の裏面に重ね合わせて補強することが考えられる。しかしながら、前述の如く、前記プリント配線板には照明手段や配線接続手段等が配設されており、該照明手段や配線接続手段等に設けられた部品リード(足とも呼ばれる)がプリント配線板の裏面側に突出している。このため、プリント配線板に対して板金を重ね合わせた場合には、プリント配線板の裏側に突出するピンとの干渉を避けるために板金に逃し孔を形成する必要があり、加工コストの増大を招来する欠点がある。また、板金に逃し孔を形成することで板金自体の剛性が低下するから、充分な補強効果を得られず、プリント配線板の損傷を防止し得なくなる問題も指摘される。
【０００５】
そこで、本発明は、図柄表示ユニットを簡単な構成で補強し得る図柄表示装置を提供することを目的とする。
【課題を解決するための手段】
【０００６】
前記課題を克服し、所期の目的を達成するため、請求項１に係る遊技機用の図柄表示装置は、
外周面に各種図柄が表示された図柄表示体(34)を駆動モータ(31)の駆動により回転させるよう構成された図柄表示ユニット(21)を、矩形箱状の収容ケース(60)に収容した遊技機用の図柄表示装置において、
前記図柄表示ユニット(21)は、
前記図柄表示体(34)の内側から図柄を照明する発光体(42)および前記駆動モータ(31)からの配線が接続される配線接続手段(26b)の夫々が表面に表面実装されると共に、所要位置に開口部(24a)が開設されたプリント配線板(24)と、
前記駆動モータ(31)が配設されると共に前記開口部(24a)に駆動モータ(31)を挿通した状態でプリント配線板(24)の裏面に固定される金属製のベース板金(27)とを備え、
前記ベース板金(27)には、前記収容ケース(60)の壁面に形成されたネジ挿通孔(64b)に該収容ケース(60)の内側から整列するネジ孔(29a)が形成され、
前記収容ケース(60)には、前記プリント配線板(24)およびベース板金(27)が重なり合う部位を挟んだ状態で支持する挟持部(70,71,83)が形成され、
前記収容ケース(60)の外側には、該収容ケース(60)に形成されたネジ挿通孔(64b)に整列するネジ挿通孔(114a,128a)が形成された金属枠部材(110)が、該収容ケース(60)の外面を囲繞するように組み付けられ、
前記収容ケース(60)の外側から前記金属枠部材(110)に形成されたネジ挿通孔(114a,128a)および収容ケース(60)に形成されたネジ挿通孔(64b)の各々に挿通したネジを前記ベース板金(27)に形成されたネジ孔(29a)に螺挿することで、前記図柄表示ユニット(21)を前記収容ケース(60)内に固定するよう構成したことを要旨とする。
【０００７】
このように、プリント配線板に対してベース板金を重ねたことで、図柄表示ユニット自体の剛性を高めることができる。更に、図柄表示ユニットを収容ケースに収容保持した際には、プリント配線板およびベース板金が収容ケースに形成した挟持部に一体的に挟み込まれるようにしたから、搬送時の振動等によりプリント配線板が損傷するのを防止し得ると共に、プリント配線板とベース板金とが剥離して両部材間に隙間が空くのを阻止し得る。また、収容ケースに収容した図柄表示ユニットが、該収容ケースの外側から金属枠部材のネジ挿通孔および該収容ケースのネジ挿通孔を介してベース板金に形成したネジ孔にネジを螺挿することで、収容ケース内における図柄表示ユニットのガタツキを防止できる。そして、発光体および配線接続手段をプリント配線板の表面に表面実装したことで、プリント配線板の裏面からピンが突出することはなく、該ピンを逃がすための逃げ孔をベース板金に設ける必要がない。従って、ベース板金によるプリント配線板の補強効果の低下を招来することはなく、またベース板金の加工に要する手間を省略してコストの低減を図り得る。更にまた、ベース板金に駆動モータが取り付けられることで、ベース板金が所謂ヒートシンクとして機能し、該駆動モータの過熱を防止し得る。
【０００８】
請求項２に係る遊技機用の図柄表示装置は、前記金属枠部材(110)は、前記収容ケース(60)の上壁面(63,77)から後壁面(64)まで延在する上側金属部材(111)と、該収容ケース(60)の下壁面(65,78)から後壁面(64)まで延在し、該後壁面(64)の外側で前記上側金属部材(111))と重なる下側金属部材(125)とから構成され、
前記上側金属部材(111)および下側金属部材(125)の重なった部分に、両金属部材(111,125)を貫通するように前記ネジ挿通孔(114a,128a)が各々形成され、
前記上側金属部材(111)に形成されたネジ挿通孔(114a)および前記下側金属部材(125)に形成したネジ挿通孔(128a)に挿通した前記ネジにより、該上側金属部材(111)および下側金属部材(125)が前記収容ケース(60)に固定されることを要旨とする。
【０００９】
すなわち、上側金属部材および下側金属部材の間に収容ケースを差込むような煩雑な作業を必要とせず、組み付け作業性の向上を図り得る。また金属枠部材は、上側金属部材および下側金属部材が重なり合う部位でネジ止めすることで、収容ケースに対する両金属部材のネジ止め箇所を削減できる。
【発明の効果】
【００１０】
本発明に係る遊技機用の図柄表示装置によれば、図柄表示ユニットを簡単な構成で補強することができ、プリント配線板の損傷を確実に防止し得る。
【発明を実施するための最良の形態】
【００１１】
次に、本発明に係る遊技機用の図柄表示装置につき好適な実施例を挙げて、添付図面を参照しながら、以下詳細に説明する。なお、本実施例では、代表的な遊技機であるパチンコ球を遊技媒体として用いるパチンコ機に対して、図柄表示装置としてドラム式図柄表示装置を配設する場合を例にして説明する。また、以下の説明において、「前」・「後」および「左」・「右」とは、図２に示すようにパチンコ機に配設された遊技盤を正面側(遊技者側)から視た状態を基準として、遊技者側を前方と指称し、遊技盤の裏側を後方と指称するものとする。
【実施例】
【００１２】
(遊技盤について)
図２に示すように、実施例に係るパチンコ機の遊技盤１０は、略円形状に湾曲形成したレール１１により囲まれた遊技領域の前側において、パチンコ球をスイッチで検出し得る始動入賞装置１２と、この始動入賞装置１２の直上方に配設されて遊技領域の略中央に位置し、前後に開口する窓口を介してドラム式図柄表示装置２０が後方から臨む装飾部材１３と、始動入賞装置１２の直下方に設置された特別入賞装置１４等を備えている。ここで、前記始動入賞装置１２内に配設した図示しないスイッチがパチンコ球を検出することで、前記ドラム式図柄表示装置２０で図柄変動ゲームが開始され、特定の図柄組合せで停止した場合に、前記特別入賞装置１４が開放して特別遊技(所謂大当り)が発生するようになっている。また、前記遊技盤１０における遊技領域の最下方位置には、前記始動入賞装置１２や特別入賞装置１４等の入賞装置に入賞しなかったパチンコ球Ｂを排出するアウト口１５を設けてある。
【００１３】
(ドラム式図柄表示装置について)
実施例に係るドラム式図柄表示装置２０は、図１に示すように、外周面に各種図柄が表示された図柄ドラム(図柄表示体)３４を駆動モータ３１の駆動により回転させる複数(実施例では４基)の図柄表示ユニット２１を、矩形箱状のドラムケース(収容ケース)６０内に収容して構成され、前記遊技盤１０の裏側に配設した枠状の設置部材１６(図３参照)に対して着脱可能に設置されるようになっている。ここで、前記ドラム式図柄表示装置２０は、図４または図１８に示すように、前記ドラムケース６０(具体的には後述のケース本体６１)の上面側に配設した制御装置１３０からの制御信号により、前記各図柄表示ユニット２１(駆動モータ３１)を駆動制御するよう構成されて、該制御装置１３０からの制御信号に基づいて各図柄ドラム３４が回転することで所要の図柄変動ゲームが行なわれるようになっている。また、前記ドラムケース６０には、外面を囲繞するよう金属枠部材１１０(後述)が取り付けられており、該金属枠部材１１０によりドラムケース６０を補強すると共に、図柄表示ユニット２１の図柄ドラム３４の回転により発生したノイズによる前記制御装置１３０に対する悪影響を防止している。
【００１４】
(図柄表示ユニットについて)
図５〜図１０に示すように、前記各図柄表示ユニット２１は、前記ドラムケース６０に保持される支持板２３と、該支持板２３に配設されて前記制御装置１３０からの制御信号により駆動制御される駆動モータ３１と、該駆動モータ３１により回転され、外周面に各種図柄が表示された図柄ドラム３４とから基本的に構成されている。ここで、前記駆動モータ３１は、原位置検出センサ(図示せず)を内蔵したステッピングモータであって、回転軸３１ａと一体的に回転するよう設けた円盤状部材３２の偏心位置に位置決め孔３２ａが形成されている。なお、前記回転軸３１ａは、前記円盤状部材３２から突出するよう構成される。
【００１５】
(図柄ドラム)
前記図柄ドラム３４は、図５または図８に示すように前記駆動モータ３１の円盤状部材３２に固定される固定板３５と、該固定板３５に連接され、当該固定板３５から離間する方向に所定長さ延在すると共に回転中心から放射方向へ向けて屈曲された複数本(実施例では５本)の連結アーム３６と、各連結アーム３６の放射側端部に連設される第１環状体３７と、該第１環状体３７と同径に形成されて軸方向に離間する第２環状体３８と、該第１および第２環状体３７,３８の周縁部に取り付けられて図柄ドラム３４の外周面をなし、複数の図柄が表示された光透過性の図柄フィルム３９とから構成されており、駆動モータ３１の回転により固定板３５が回転することで、図柄フィルム３９に表示された図柄が周方向に移動するようになっている。ここで、前記固定板３５には、前記各環状体３７,３８の中心に整列する位置に通孔３５ａが穿設されると共に、偏心位置に前記円盤状部材３２側に突出する突起部３５ｂが突設されており、前記回転軸３１ａを固定板３５の通孔３５ａに挿入すると共に、該固定板３５の突起部３５ｂを円盤状部材３２の位置決め孔３２ａに挿入した状態で、図柄ドラム３４と円盤状部材３２とがネジ止めされる。従って、駆動モータ３１と図柄ドラム３４とを組み付けた際には、該駆動モータ３１に内蔵した原位置検出センサと図柄ドラム３４に表示された図柄とが常に一定関係となり、該原位置検出センサの検出に基づいて駆動モータ３１を駆動制御することで、各図柄を所定位置で停止させ得る。
【００１６】
(支持板)
前記支持板２３は、図５〜図７、図９または図１０に示すように、所要の配線パターンがプリントされると共に、表面(図柄ドラム３４に対向する面)に各種電気部品が配設されたプリント配線板２４と、該プリント配線板２４と略整合する形状に形成されたベース板金２７とから構成されて、プリント配線板２４およびベース板金２７の夫々を整合させた状態でネジ固定される。ここで、前記プリント配線板２４には、略中央位置に表裏面に貫通する開口部２４ａが開設されると共に、前記ベース板金２７には、開口部２４ａと対応する位置に前記駆動モータ３１が配設されており、プリント配線板２４の裏面にベース板金２７を固定した際に、駆動モータ３１が開口部２４ａに挿通されてプリント配線板２４の表面側に露出するようになっている。また、前記プリント配線板２４およびベース板金２７の前端縁には、上下方向の略中央に向かうにつれて前側に突出して前記図柄ドラム３４に倣う円弧状の円弧状端縁２５,２８が相互に整合する形状で形成されており、該プリント配線板２４およびベース板金２７の円弧状端縁２５,２８を含む前端縁が、後述するカバー部材５０で覆われるようになっている。なお、前記円弧状端縁２５,２８は、前記図柄ドラム３４より小さい曲率となるよう設定され、前記駆動モータ３１に図柄ドラム３４を取り付けた状態で、円弧状端縁２５,２８より図柄ドラム３４の外周面の方が外側に位置するようになっている。
【００１７】
また、図５または図６に示すように、前記プリント配線板２４には、前記円弧状端縁２５に近傍する前側上下位置に第１嵌挿孔２４ｂ,２４ｂが夫々形成されると共に、前記ベース板金２７には、該プリント配線板２４の第１嵌挿孔２４ｂ,２４ｂに臨む第１ネジ孔２７ａ,２７ａが形成されている。更に、前記ベース板金２７の後端下部には、第２ネジ孔２９ａを形成した固定片２９が折曲形成されており、ドラムケース６０に図柄表示ユニット２１を収容した状態で、該ドラムケース６０の外側から第２ネジ孔２９ａへネジを螺挿し得るよう構成される。
【００１８】
また、前記プリント配線板２４の表面には、前記電子部品として、前記図柄ドラム３４の図柄を内側から照明する照明手段４１や、前記制御装置１３０からの配線を着脱可能に接続可能な第１コネクタ受け部２６ａ、前記駆動モータ３１のコネクタ受け部３１ｂに接続された配線(図示せず)を着脱可能に接続可能な第２コネクタ受け部(配線接続部)２６ｂが夫々配設されており、制御装置１３０および駆動モータ３１の夫々の配線を対応のコネクタ受け部２６ａ,２６ｂに接続することで、照明手段４１および駆動モータ３１が制御装置１３０に対して電気的に接続される。前記第１コネクタ受け部２６ａは、前記プリント配線板２４の上方後端部に設置されて、前記図柄表示ユニット２１をドラムケース６０に収容した際に、該ドラムケース６０に開設された第１通出孔７２および金属枠部材１１０の第２通出孔１２２(何れも後述。図１９参照)からケース外方に突出するよう構成されると共に、前記第２コネクタ受け部２６ｂは、部品リードがプリント配線板２４の裏面に突出することのない表面実装により前記図柄ドラム３４の内側に位置するよう設置される。ここで、表面実装とは、プリント配線板２４の表面に各種電子部品をハンダ付けする技術を云う。なお、前記ベース板金２７は、前記プリント配線板２４に配設した前記第１コネクタ受け部２６ａと対応する位置が切り欠かれており、該プリント配線板２４の裏側に突出する第１コネクタ受け部２６ａの部品リード(図示せず)がベース板金２７に接触しないようになっている。また、前記第１コネクタ受け部２６ａは、コネクタを差込む差込み口(図示せず)が支持板２３の後方側に向く姿勢で取り付けられている。
【００１９】
(照明手段)
前記照明手段４１は、前記プリント配線板２４における前記開口部２４ａと円弧状端縁２５,２８との間に設置されており、図５または図７に示すように、該円弧状端縁２５,２８部に沿ってプリント配線板２４の表面に配設される複数(実施例では３個)のＬＥＤ(発光体)４２と、該ＬＥＤ４２から照射された光を受けて前方(図柄ドラム３４の内面側)へ反射するリフレクタ部材４３とから構成される。ここで、前記各ＬＥＤ４２は、前記第２コネクタ受け部２６ｂと同様に、部品リードがプリント配線板２４の裏面に突出しない表面実装により、前記図柄ドラム３４の軸方向(プリント配線板２４に対して略直交する方向)に光を照射する姿勢で設置されている。
【００２０】
前記リフレクタ部材４３は、前記図柄ドラム３４に倣うよう湾曲して前記図柄フィルム３９に対向する中反射面４４ａと、該中反射面４４ａの上下端に連接して図柄ドラム３４の軸方向に拡がりながら前側(図柄ドラム３４の周面側)に延出する上反射面４４ｂおよび下反射面４４ｃと、該中反射面４４ａおよび上下の反射面４４ｂ,４４ｃの右側縁(プリント配線板２４から離間する端縁)に連設して、図柄ドラム３４における第１環状体３７に向かって拡がりながら図柄ドラム３４に倣って円弧状に湾曲する側部反射面４４ｄとが形成されて、前記ＬＥＤ４２から照射された光を受けて各反射面４４ａ〜４４ｄが面発光するよう構成されている。なお、実施例では、前記中反射面４４ａと、上下の反射面４４ｂ,４４ｃとの連設部位は、なだらかに連続する曲面状に形成されている。
【００２１】
また、図６に示すように、前記上下の反射面４４ｂ,４４ｃの裏側には、後方へ向けて延出する取着片４５,４５が夫々形成されている。この取着片４５には、前記プリント配線板２４に形成した第１嵌挿孔２４ｂと対応する位置に、プリント配線板２４側に突出するようボス部４６が夫々形成されており、各第１嵌挿孔２４ｂに対してプリント配線板２４の表面側からボス部４６を嵌挿し得るようになっている。ここで、前記各ボス部４６には、前記第１嵌挿孔２４ｂに挿通した状態で、前記ベース板金２７の第１ネジ孔２７ａと整列する位置に、ネジを挿通可能な通孔４６ａが形成されており、該通孔４６ａに挿通したネジを第１ネジ孔２７ａに夫々螺挿することで、リフレクタ部材４３がベース板金２７に固定されるようになっている。
【００２２】
(カバー部材)
前記カバー部材５０は、合成樹脂により形成されると共に、図５〜図１０に示すように、前記プリント配線板２４およびベース板金２７の円弧状端縁２５,２８に整合する円弧状に形成された円弧状被覆部５１と、該円弧状被覆部５１の上端部から上方へ延出する上被覆部５２と、円弧状被覆部５１の下端部から下方へ延出する下被覆部５３とを有しており、該カバー部材５０を前記支持板２３に取り付けることにより、該支持板２３(プリント配線板２４およびベース板金２７)の前端縁が被覆されるようになっている。なお、前記下被覆部５３の下端部と支持板２３の下端部との間は、該支持板２３(プリント配線板２４およびベース板金２７)の前端縁の一部が前方へ露出するよう構成されて、該支持板２３における露出した部位を、前記ドラムケース６０に形成された後述の前側挟持部(挟持部)８３で支持し得るようになっている。
【００２３】
図６に示すように、前記カバー部材５０における円弧状被覆部５１の内側には、該円弧状被覆部５１の略全長に亘って突出片５１ａが形成されると共に、円弧状被覆部５１の上下端部に、前記プリント配線板２４の表面に当接する当接片５４,５４が形成されている。すなわち、前記カバー部材５０は、前記突出片５１ａおよび当接片５４,５４の夫々をプリント配線板２４の表面に当接させることで、前記各被覆部５１,５２,５３が支持板２３(プリント配線板２４およびベース板金２７)の前端縁を覆う位置に位置決めされる。また、前記各当接片５４には、前記プリント配線板２４における第１嵌挿孔２４ｂと整合する位置に、前記リフレクタ部材４３に形成したボス部４６を嵌挿可能な第２嵌挿孔５４ａが形成されており、該ボス部４６を両嵌挿孔２４ｂ,５４ａに嵌挿した状態で、ボス部４６の通孔４６ａに挿通したネジをベース板金２７の第１ネジ孔２７ａに螺挿することにより、リフレクタ部材４３およびカバー部材５０が一体的に固定される。更に、前記カバー部材５０には、前記円弧状被覆部５１の略全長に亘って前記図柄ドラム３４の内側に臨むように延出する被覆片５５が形成されており、前記ＬＥＤ４２の前方に被覆片５５が位置するようになっている。
【００２４】
また、前記カバー部材５０における上被覆部５２の上端部には、図５〜図８に示すように、前記ドラムケース６０に形成される突条部８４(後述)を差込み可能な差込み係合部５６が形成されている。この差込み係合部５６は、左右に離間する位置に上方へ突出するよう形成された一対の係合片５６ａ,５６ａからなり、該一対の係合片５６ａ,５６ａの間に前記突条部８４を差込むことで、該係合片５６ａ,５６ａと突条部８４とが係脱可能に弾性的に係合して図柄表示ユニット２１の前側上端部を保持するようになっている。また、前記一対の係合片５６ａ,５６ａは、前後に互違いとなる位置に形成されている。
【００２５】
(ドラムケースについて)
次に、前記図柄表示ユニット２１を収容するドラムケース６０につき説明する。前記ドラムケース６０は、図１に示すように、合成樹脂により形成されて前方に向かって開口する箱状のケース本体６１と、該ケース本体６１の前方開口を覆う透明カバー体９０とから箱状に形成され、該ケース本体６１内に、前記図柄表示ユニット２１が左右に隣接して４基配設される。前記ケース本体６１は、図１１または図１２に示すように、後ケース体６２と前ケース体７６とから構成され、図柄表示ユニット２１を収容した状態で、前後のケース体６２,７６と透明カバー体９０とを前記金属枠部材１１０により連結固定することで、前記ドラム式図柄表示装置２０が形成されるようになっている。
【００２６】
(後ケース体)
図１１〜図１３に示すように、前記ケース本体６１は、前後に連結可能な後ケース体６２および前ケース体７６とから前方に開口する箱状に形成されて、前後のケース体６２,７６により前記図柄表示ユニット２１を挟持するよう構成されている。前記後ケース体６２は、上壁面６３と、後壁面６４と、下壁面６５と、上壁面６３から後壁面６４へ向けて下方傾斜する上傾斜面(傾斜面)６６と、下壁面６５から後壁面６４へ向けて上方傾斜する下傾斜面６７と、上下の壁面６３,６５および後壁面６４、上下の傾斜面６６,６７の夫々に連接する左右の側壁面６８,６９とから、前方に開口する箱状に形成される。そして、前記左右の側壁面６８,６９には、上下に離間する位置に、前方へ突出する第１嵌合片６８ａ,６９ａが夫々形成されている。なお、前記上傾斜面６６および下傾斜面６７には、スリット状の放熱孔６６ａ,６７ａが形成されて、図柄表示ユニット２１における駆動モータ３１の駆動時に発生する熱をケース外部へ放出し得るようになっている。
【００２７】
前記後ケース体６２における後壁面６４の内側には、図１１または図１３に示すように、前記下傾斜面６７の近接位置に、プリント配線板２４およびベース板金２７が重なり合う部位を挟んだ状態で支持可能な第１後側挟持部７０が、左右に離間する４箇所に形成されている。前記各第１後側挟持部７０は、前記支持板２３(プリント配線板２４とベース板金２７とが重なり合う部位)の厚み寸法と略同一の間隔で左右に離間する位置に前側に向けて突出する一対の規制突部７０ａ,７０ａから構成され、該一対の規制突部７０ａ,７０ａの間に支持板２３を差込むことにより、該支持板２３の後側下部位置が位置決めされる。但し、実施例では、前記一対の規制突部７０ａ,７０ａは、前記支持板２３(プリント配線板２４とベース板金２７とが重なり合う部位)の厚み寸法よりも僅かに広くなっており、該一対の規制突部７０ａ,７０ａ間に支持板２３を差込み易いよう構成される。また、前記後ケース体６２における後壁面６４の内側には、隣接する第１後側挟持部７０間に亘って、前方に突出する規制リブ６４ａが左右方向に延在するよう形成されて、支持板２３の後側下部位置が第１後側挟持部７０とは異なる位置に差込まれないようになっている。
【００２８】
また、前記後ケース体６２における上壁面６３の内側には、前記各第１後側挟持部７０の上方位置に、プリント配線板２４およびベース板金２７が重なり合う部位を挟んだ状態で支持可能な第２後側挟持部７１が形成されている。この第２後側挟持部７１は、前記支持板２３(プリント配線板２４とベース板金２７とが重なり合う部位)の厚み寸法と略同一の間隔で左右に離間する位置に、前後方向に延在するよう形成された一対の第１差込み片７１ａ,７１ａから構成され、該一対の第１差込み片７１ａ,７１ａの間に支持板２３を差込むことにより、該支持板２３の後側上部位置が位置決めされるようになっている(図１４参照)。但し、実施例では、前記一対の第１差込み片７１ａ,７１ａは、前記支持板２３(プリント配線板２４とベース板金２７とが重なり合う部位)の厚み寸法よりも僅かに広くなっており、該一対の第１差込み片７１ａ,７１ａ間に支持板２３を差込み易いよう構成される。また、前記各第１後側挟持部７０における一対の規制突部７０ａ,７０ａ間の間隙と、対応する第２後側挟持部７１における一対の第１差込み片７１ａ,７１ａ間の間隙とは、上下に整列するよう構成されており、該第１および第２後側挟持部７０,７１に支持板２３を差込んだ際に、該支持板２３が鉛直方向に延在するよう構成されている。
【００２９】
また、前記後ケース体６２における上傾斜面６６には、左右方向に離間する４箇所に第１通出孔７２が夫々開設されており、図１２に示すように、前記後ケース体６２(ドラムケース６０)内に前記図柄表示ユニット２１の後側を臨ませて支持板２３を前記第１および第２後側挟持部７０,７１に差込んだ際に、該支持板２３(プリント配線板２４)に設けた第１コネクタ受け部２６ａが、第１通出孔７２を介してケース外方に突出するようになっている。更に、前記後ケース体６２の後壁面６４には、前記支持板２３を第１および第２後側挟持部７０,７１に差込んだ状態で、前記ベース板金２７に形成した固定片２９の第２ネジ孔２９ａに整列する位置に、前後に貫通するネジ挿通孔６４ｂが形成されていると共に、該後壁面６４の上部位置には、左右の端部近傍に、後方に突出する位置決め突部６４ｃ,６４ｃが形成されている。また、前記後ケース体６２の後壁面６４には、左右方向に離間する複数箇所(実施例は４箇所)に、上下方向に所定長さ延在する位置決め突片６４ｄが形成されている。
【００３０】
更に、図１１〜図１３に示すように、前記上傾斜面６６には、左右に離間する複数箇所(実施例では４箇所)に、上方へ突出する支持板部７３が前後方向に延在するよう形成されており、前記ドラムケース６０(ケース本体６１)の上面側に配設された前記制御装置１３０の下面の後方位置を支持板部７３で支持するよう構成される。ここで、前記各支持板部７３は、前記後ケース体６２の上壁面６３を覆う前記金属枠部材１１０(具体的には後述する上側金属板１１１)より上方へ突出するよう形成されている。また、前記各支持板部７３には、補強リブ７３ａが前後に延在するよう形成されると共に、左右端部に位置する支持板部７３の後端部には、第３ネジ孔７４ａが形成されたネジ止めボス(取着部)７４が形成されており、該ネジ止めボス７４に対して、前記制御装置１３０を固定する固定具１４０,１４０(後述)が着脱可能にネジ止めされるようになっている。
【００３１】
(前ケース体)
前記前ケース体７６は、図１１または図１２に示すように、上下の壁面７７,７８と左右の壁面７９,８０とから前後方向に開口する角筒状に形成されており、該前ケース体７６の後方開口と前記後ケース体６２の前方開口とが整合するようになっている。また、前記前ケース体７６における左右の側壁面７９,８０には、上下に離間する位置に、後方へ突出する第２嵌合片７９ａ,８０ａが形成されている。ここで、前記後ケース体６２の第１嵌合片６８ａ,６９ａおよび前ケース体７６の第２嵌合片７９ａ,８０ａの夫々は、該後ケース体６２および前ケース体７６の各壁面を夫々対応させた場合には、第１嵌合片６８ａ,６９ａが前ケース体７６における左右の側壁面７９,８０の内面に嵌合し、かつ第２嵌合片７９ａ,８０ａが後ケース体６２における左右の側壁面６８,６９の内面に嵌合して、前ケース体７６の後方開口と前記後ケース体６２の前方開口とが整合する姿勢で組み付け保持される。このとき、上下に離間した前記第１嵌合片６８ａ,６９ａの間に両第２嵌合片７９ａ,８０ａが夫々位置して、上側に位置する第１嵌合片６８ａ,６９ａに対して上側に位置する第２嵌合片７９ａ,８０ａが当接すると共に、下側に位置する第１嵌合片６８ａ,６９ａに対して下側に位置する第２嵌合片７９ａ,８０ａが当接して、前後のケース体６２,７６が上下に位置ずれしないよう規制している。一方で、後ケース体６２および前ケース体７６の各壁面が夫々対応しない場合(例えば、前ケース体７６を上下反転した姿勢で後ケース体６２に組み付ける場合)には、第１嵌合片６８ａ,６９ａと第２嵌合片７９ａ,８０ａとが干渉して、前ケース体７６の後方開口と前記後ケース体６２の前方開口とが整合する姿勢で組み付け得ないようになっている。
【００３２】
前ケース体７６における上壁面７７の内側には、前端部近傍に前ケース体７６の内側に突出する第１の内側段差部８１ａが形成されると共に、前ケース体７６における下壁面７８の内側には、前端部近傍に前ケース体７６の内側に突出する第２の内側段差部８１ｂが形成されている。そして、前記図柄表示ユニット２１における支持板２３の前方上端部(カバー部材５０の差込み係合部５６)が前記第１の内側段差部８１ａに当接すると共に、該支持板２３の前方下端部が前記第２の内側段差部８１ｂに当接して、該図柄表示ユニット２１の前方移動を規制するようになっている。また、前ケース体７６における上下の壁面７７,７８の外側には、前端部近傍に凹状の外側段差部８２,８２が形成されている。
【００３３】
また、前記前ケース体７６における下壁面７８の内側には、左右に離間する４箇所に、前記支持板２３のプリント配線板２４とベース板金２７とが重なり合う部位を挟んだ状態で支持する前側挟持部(挟持部)８３が形成されている。具体的には、前記前側挟持部８３は、前記カバー部材５０の前記下被覆部５３の下端部と支持板２３の下端部との間から露出する支持板２３の前端部位を挟んだ状態で支持するよう構成される。この前側挟持部８３は、前記支持板２３(プリント配線板２４とベース板金２７とが重なり合う部位)の厚み寸法と略同一の間隔で左右に離間する位置に、前後方向に延在するよう形成された一対の第２差込み片８３ａ,８３ａから構成され、該一対の第２差込み片８３ａ,８３ａの間に支持板２３を差込むことにより、該支持板２３の前側下部位置が位置決めされるようになっている。但し、実施例では、前記一対の第２差込み片８３ａ,８３ａは、前記支持板２３(プリント配線板２４とベース板金２７とが重なり合う部位)の厚み寸法よりも僅かに広くなっており、該一対の第２差込み片８３ａ,８３ａ間に支持板２３を差込み易いよう構成される。また、前記各第１後側挟持部７０における一対の規制突部７０ａ,７０ａ間の間隙と、前側挟持部８３における一対の第２差込み片８３ａ,８３ａ間の間隙とは、前後に整列するよう構成されており、該第１後側挟持部７０および前側挟持部８３に支持板２３を差込んだ際に、該支持板２３が鉛直方向に延在するよう構成されている。
【００３４】
更に、前記前ケース体７６における上壁面７７の内側には、前記第１の内側段差部８１ａの後方位置に、前後方向に延在する突条部８４が形成されており、該突条部８４が前記図柄表示ユニット２１のカバー部材５０に形成した前記差込み係合部５６の係合片５６ａ,５６ａ間に差込まれるようになっている。この突条部８４の幅寸法は、前記係合片５６ａ,５６ａ間の左右方向の離間寸法と略同一に設定されて、該係合片５６ａ,５６ａ間に突条部８４を差込み得るようになっている。但し、実施例では、突条部８４の幅寸法は、前記係合片５６ａ,５６ａ間の左右方向の離間寸法よりも僅かに幅広くなっており、該突条部８４を係合片５６ａ,５６ａ間に差込んだ際には、該突条部８４や係合片５６ａ,５６ａの弾性変形を伴って強制的に差込まれて、係合片５６ａ,５６ａが突条部８４を噛み込むように構成されている。また、前記突条部８４の後端には、後方へ向けて先細りとなるようにテーパ部が形成されており、テーパ部が係合片５６ａ,５６ａ間に臨むことで突条部８４を差込み得るようになっている。なお、前記突条部８４は、前記各前側挟持部８３の上方に位置するよう夫々形成されている。すなわち、前後および上下に対応する前記第１後側挟持部７０、第２後側挟持部７１、前側挟持部８３および突条部８４の夫々は、同一平面上に位置して、該第１後側挟持部７０、第２後側挟持部７１、前側挟持部８３および突条部８４で図柄表示ユニット２１を保持した際に、前記支持板２３が鉛直面上に位置するようになっている。
【００３５】
(透明カバー体)
前記ドラムケース６０の透明カバー体９０は、図１に示すように、前記ケース本体６１(前ケース体７６)の前方開口を覆い、中央部に前向きの凸円弧形に膨出する透視部９１ａが形成された前面部９１と、該前面部９１の上下および左右端縁から後方へ延出する上下および左右の面部９２,９３,９４,９５とから、透明合成樹脂材により後側に開放する箱蓋形に形成されて、前記前ケース体７６の前端外周囲を囲繞するよう構成される。なお、前記上面部９２は、前記前ケース体７６の上壁面７７に形成した外側段差部８２に臨み、該上面部９２と上壁面７７とが同一面上に位置するよう構成されている。また、前記下面部９３の上面側には、左右方向に離間する複数箇所(実施例では３箇所)に、上方へ突出するリブ片９３ａ(図１９参照)が前後方向に延在するよう形成されており、前記前ケース体７６の下壁面７８に形成した外側段差部８２に各リブ片９３ａが係合して位置決めするようになっている。
【００３６】
図１に示すように、前記透明カバー体９０における上面部９２には、図１または図１７に示すように、左右に離間する２箇所に第１引掛け部(引掛け部)９６,９６が形成されており、前記金属枠部材１１０(上側金属板１１１)に形成される第１規制部１１６(後述)と係脱可能に係合するようになっている。前記各第１引掛け部９６は、前記透明カバー体９０における上面部９２から突出する係合面部９８ａと、該係合面部９８ａの突出端縁および一方の側縁から前方へ突出する規制面部９８ｂ,９８ｃとから形成されて前方および側方へ開口する鈎状凹部９８を、側方開口が対向する向きで左右に離間して一対設けることで構成されている。ここで、前記上面部９２からの各第１引掛け部９６(係合面部９８ａ)の突出寸法は、前記後ケース体６２に形成した前記支持板部７３が前記ドラムケース６０の上面から突出する寸法と略一致するよう設定されている。
【００３７】
更に、前記透明カバー体９０の上面部９２には、前記各第１引掛け部９６と対応する位置に、前記係合面部９８ａから前方へ向かうにつれて下方(透明カバー体９０の上下の中心方向)へ向けて傾斜する傾斜面９９が夫々形成されている。すなわち、前記各第１引掛け部９６(鈎状凹部９８)の上下の開口寸法は、係合面部９８ａから前方に向かうにつれて大きくなるよう構成されている。なお、前記各第１引掛け部９６の係合面部９８ａは、前記上側金属板１１１の板厚と略一致する寸法に設定されている。
【００３８】
前記透明カバー体９０における下面部９３には、左右に離間する３箇所に第２引掛け部(引掛け部)９７,９７,９７が形成され、前記金属枠部材１１０(後述する下側金属板１２５)に形成される第２規制部１２９(後述)と係脱可能に係合するよう構成される。この第２規制部１２９は、前記第１規制部１１６と基本的に同一構成であり、同一の符号を付して詳細な説明は省略する。なお、前記各第２引掛け部９７の係合面部９８ａは、前記下側金属板１２５の板厚と略一致する寸法に設定される。また、前記透明カバー体９０の下面部９３において各第２引掛け部９７と対応する位置には、透明カバー体９０の上面部９２と同様に、前記係合面部９８ａから前方へ向かうにつれて上方(透明カバー体９０の上下の中心方向)へ向けて傾斜する傾斜面９９が形成されており、前方に向かうにつれて各第２引掛け部９７(鈎状凹部９８)の上下の開口寸法が大きくなるよう構成されている。
【００３９】
また、前記透明カバー体９０の左側面部９４には、図３に示すように、上下に離間する位置に左方向へ突出する突出片１００が形成されており、前記遊技盤１０裏側に配設した前記設置部材１６の支持部１６ａの孔部(図示せず)に該突出片１００を挿脱可能に挿入し得るよう構成されている。一方、前記透明カバー体９０の右側面部９５には、右方向へ突出するフランジ部１０１が形成されると共に、該フランジ部１０１の上下に離間する位置には、前記設置部材１６の係合孔(図示せず)との係合位置および係合解除位置に回動変位させ得る回転係着具１０２,１０２が配設されている。すなわち、実施例に係るドラム式図柄表示装置２０は、前記突出片１００を前記支持部１６ａの孔部に挿入した状態で、前記回転係着具１０２,１０２を係合解除位置から係合位置に回転操作することにより、前記設置部材１６に対して配設されると共に、該回転係着具１０２,１０２を係合位置から係合解除位置に回転操作することにより、設置部材１６から取り外し得るようになっている。
【００４０】
(金属枠部材について)
次に、前記ケース本体６１と透明カバー体９０とを連結固定する金属枠部材１１０につき説明する。前記金属枠部材１１０は、図１に示すように、前記前後のケース体６２,７６の上壁面６３,７７(すなわちケース本体６１の上壁面)から後ケース体６２の後壁面６４まで延在する上側金属板１１１と、前後のケース体６２,７６の下壁面６５,７８(すなわちケース本体６１の下壁面)から後ケース体６２の後壁面６４まで延在する下側金属板１２５とから構成されている。なお、実施例では、上下の金属板１１１,１２５をケース本体６１に組み付けた際には、前記後ケース体６２の後壁面６４において、上側金属板１１１が下側金属板１２５の外側(後側)に位置する状態で重なり合うようになっている(図１９参照)。また、前記上側金属板１１１には、前記後ケース体６２の上傾斜面６６と対応する上傾斜板部１１３が形成されると共に、前記下側金属板１２５には、該後ケース体６２の下傾斜面６７と対応する下傾斜板部１２７が形成されており、該上下の金属板１１１,１２５をケース本体６１に固定した際に、前後のケース体６２,７６の上壁面６３,７７から後ケース体６２の上傾斜面６６、後壁面６４および下傾斜面６７を経て前後のケース体６２,７６の下壁面６５,７８に亘る各面が、金属板１１１,１２５で覆われるようになっている。
【００４１】
図１５または図１６に示すように、前記上側金属板１１１および下側金属板１２５には、前記後ケース体６２の後壁面６４に対向する夫々の後板部１１４,１２８に、該後ケース体６２の後壁面６４に形成されたネジ挿通孔６４ｂと整合する位置に、前後に貫通するネジ挿通孔１１４ａ,１２８ａが夫々形成されると共に、当該後ケース体６２の後壁面６４に形成された前記位置決め突部６４ｃ,６４ｃに対応する位置に、該位置決め突部６４ｃ,６４ｃを挿入可能な位置決め孔１１４ｂ,１２８ｂが夫々形成されている。更に、前記上側金属板１１１および下側金属板１２５の後板部１１４,１２８には、前記後ケース体６２の後壁面６４に形成された４つの位置決め突片６４ｄの内、左側２つの位置決め突片６４ｄを囲繞する大きさで開口する略矩形状の第１の位置決め開口部１１４ｃ,１２８ｃと、右側２つの位置決め突片６４ｄを囲繞する大きさで開口する略矩形状の第２の位置決め開口部１１４ｄ,１２８ｄとを夫々開設してある。
【００４２】
すなわち、前記後ケース体６２の位置決め突部６４ｃ,６４ｃを上下の金属板１１１,１２５の位置決め孔１１４ｂ,１２８ｂに夫々挿入すると共に、該後ケース体６２の４つの位置決め突片６４ｄを上下の金属板１１１,１２５の第１および第２の位置決め開口部１１４ｃ,１２８ｃ,１１４ｄ,１２８ｄに臨ませることで、上下の金属板１１１,１２５の上下および左右方向の移動が規制され、該後ケース体６２のネジ挿通孔６４ｂと、上下の金属板１１１,１２５のネジ挿通孔１１４ａ,１２８ａとが整列する。そして、上側金属板１１１の後側から各ネジ挿通孔６４ｂ,１１４ａ,１２８ａに挿通したネジを、前記図柄表示ユニット２１の前記ベース板金２７に形成した固定片２９の第２ネジ孔２９ａに螺挿することで、該上下の金属板１１１,１２５が重なり合う位置でケース本体６１(後ケース体６２の後壁面６４)に固定される。また、前記上側金属板１１１における後板部１１４の左右縁部には、前方へ突出する第１位置規制片１１５,１１５が折曲形成されており、前記後ケース体６２の左右の側壁面６８,６９に第１位置規制片１１５,１１５が当接することで、上下の金属板１１１,１２５が左右方向に移動するのを防止している。
【００４３】
図１５に示すように、前記上側金属板１１１における前記前後のケース体６２,７６の上壁面６３,７７に対応する上板部１１２には、前記透明カバー体９０に形成した第１引掛け部９６,９６と対応する２箇所に第１規制部１１６,１１６が前側に突出するよう形成されている。各第１規制部１１６は、前記上板部１１２の前端部から前方へ突出して、前記第１引掛け部９６における一対の鈎状凹部９８,９８の間に挿通される延出片１１７と、該延出片１１７の前端から左右側方へ突出する係止片１１８,１１８とから略Ｔ字形に構成されて、各係止片１１８,１１８が対応する第１引掛け部９６(鈎状凹部９８)の係合面部９８ａに対して前側から係脱可能に係合し得るようになっている。そして、前記各係止片１１８,１１８を対応の係合面部９８ａに係合させた状態では、係合面部９８ａから前方へ突出した前記規制面部９８ｂが係止片１１８,１１８の上方に延在して係止片１１８,１１８の上方移動を規制し、第１規制部１１６と第１引掛け部９６との係合状態が解除されないようになっている(図１７参照)。
【００４４】
図１５に示すように、前記上板部１１２の前側端縁には、左右方向における略中央位置に、所要幅で上方に向けて折曲形成された立上がり壁１１９が形成されている。前記立上がり壁１１９には、左右の所定幅に亘って前後に貫通する係止孔１１９ａが形成されており、該係止孔１１９ａに対して前記制御装置１３０に形成された後述する第１係合突部１３３(図４参照)を挿脱可能に挿入し得るよう構成される。また、前記上板部１１２における前側端縁の左右両端部には、上方へ向けて湾曲して先端部が上方へ延出する第２位置規制片１２０,１２０が折曲げ形成されると共に、該上板部１１２の左右側縁には、前後方向の略中央位置に第３位置規制片１２１,１２１が上方へ向けて折曲げ形成されている。そして、前記制御装置１３０の第１係合突部１３３を前記立上がり壁１１９の係止孔１１９ａに挿入した際に、該制御装置１３０の前端面が第２位置規制片１２０,１２０に当接して前方位置が位置決めされると共に、制御装置１３０の側面が第３位置規制片１２１,１２１に当接して左右位置が位置決めされるようになっている。
【００４５】
更に、図１５に示すように、前記上側金属板１１１における前記後ケース体６２の上傾斜面６６と対応する上傾斜板部１１３には、該上傾斜面６６に形成した前記各第１通出孔７２と整合する位置に、第２通出孔１２２が夫々形成されている。すなわち、前記図柄表示ユニット２１を前記ケース本体６１に収容した際に、前記プリント配線板２４に設けた第１コネクタ受け部２６ａは、前記第１および第２通出孔７２,１２２を介して、ケース外方に突出するようになっている。また、前記上側金属板１１１の上傾斜板部１１３には、前記上傾斜面６６に形成した放熱孔６６ａと対応する位置に放熱用の開口部１１３ａが開設されている。
【００４６】
一方、前記下側金属板１２５における前記前後のケース体６２,７６の下壁面６５,７８に対応する下板部１２６には、図１６に示すように、前記透明カバー体９０の各第２引掛け部９７と対応して左右に離間する３箇所に第２規制部１２９が夫々形成されている。この第２規制部１２９は、前記第１規制部１１６と基本的に同一形状であるから、該第１規制部１１６と同一の符号を付して詳細な説明は省略する。なお、前記各第２規制部１２９は、前記下板部１２６の前端部から前方へ突出している。すなわち、第２規制部１２９の各係止片１１８,１１８が対応する第２引掛け部９７(鈎状凹部９８)の係合面部９８ａに対して前側から係脱可能に係合し、該係止片１１８,１１８を対応の係合面部９８ａに係合させた状態では、係合面部９８ａの前方へ突出した前記規制面部９８ｂが係止片１１８,１１８の下方に延在して係止片１１８,１１８の下方移動を規制して、第２規制部１２９と第２引掛け部９７との係合状態が解除されないようになっている。なお、前記下側金属板１２５における下傾斜板部１２７には、前記後ケース体６２の下傾斜面６７に形成した放熱孔６７ａに対応する位置に放熱用の開口部１２７ａを開設してある。
【００４７】
(制御装置について)
次に、前記制御装置１３０の構成につき説明する。前記制御装置１３０は、図４または図１８に示すように、透明な皿状部材１３１ａと、該皿状部材１３１ａを被覆するカバー状部材１３１ｂとからなる基板ケース１３１内に、前記各図柄表示ユニット２１の制御用電子部品を実装した制御基板(図示せず)が収容されている。そして、前記透明カバー体９０の上面部９２に形成した各第１引掛け部９６および前記後ケース体６２に形成した前記各支持板部７３に、制御装置１３０(基板ケース１３１)の下面が当接するよう配設されて、制御装置１３０(基板ケース１３１)とドラムケース６０(金属枠部材１１０)との間に隙間Ｓが画成されるようになっている(図１９参照)。なお、前記基板ケース１３１の後端部側に、前記図柄表示ユニット２１に夫々対応する４つの第３コネクタ受け部１３２が配置されており、前記後ケース体６２の第１通出孔７２および金属枠部材１１０の第２通出孔１２２に挿通した各図柄表示ユニット２１の第１コネクタ受け部２６ａを、対応の第３コネクタ受け部１３２に対して配線接続するようになっている。
【００４８】
また、前記制御装置１３０(基板ケース１３１)の前端面には、略中央位置の下端縁近傍に、前記上側金属板１１１の立上がり壁１１９に形成された前記係止孔１１９ａに挿入可能な第１係合突部１３３が前方へ突出するよう形成されると共に、該制御装置１３０(基板ケース１３１)の後端面には、左右に離間する位置に後方へ突出する第２係合突部１３４,１３４が形成されている。そして、前記係止孔１１９ａに対して第１係合突部１３３を後方から挿入した状態で、制御装置１３０(基板ケース１３１)の下面を前記第１引掛け部９６および各支持板部７３の夫々に当接させ、この状態で前記固定具１４０,１４０を介して前記第２係合突部１３４,１３４を支持板部７３,７３に対して連結固定するようになっている。また、前記基板ケース１３１の左右側部には、前記皿状部材１３１ａとカバー状部材１３１ｂとを連結固定する連結固定部１３５,１３５が側方へ突出するよう形成されており、制御装置１３０をドラムケース６０の上面側に配設した際に、前記上側金属板１１１に形成した前記第３位置規制片１２１,１２１の前側に連結固定部１３５,１３５の後側が当接係合するよう構成されている。
【００４９】
(固定具について)
前記固定具１４０,１４０は、前記制御装置１３０(基板ケース１３１)に形成した左右の第２係合突部１３４,１３４の夫々に対応して形成され、図２０に示すように、右側に位置する第２係合突部１３４に対応する固定具１４０と、左側に位置する第２係合突部１３４に対応する固定具１４０は、左右対称な形状に形成されている。図２０に示すように、前記各固定具１４０の上部位置には、上部規制壁１４１および側部規制壁１４２,１４２により前方および側方(他方の固定具１４０に対向する側)に開口する係合凹部１４３が形成されており、該係合凹部１４３に対して対応する第２係合突部１３４を挿入し得るよう構成される。
【００５０】
また、前記固定具１４０には、前記後ケース体６２に設けたネジ止めボス７４の第３ネジ孔７４ａに対応する位置に前後に貫通する通孔１４４が形成されており、前記係合凹部１４３に対して対応の第２係合突部１３４を挿入した状態で、該通孔１４４に挿通したネジを第３ネジ孔７４ａに螺挿することにより、制御装置１３０の第２係合突部１３４が前記上部規制壁１４１および側部規制壁１４２,１４２の夫々に当接して後方、上方および左右方向の移動が規制された状態で固定されるようになっている。更に、前記固定具１４０における前記ネジ止めボス７４との対向面側には、該ネジ止めボス７４が形成された支持板部７３および補強リブ７３ａに整合する溝部１４５が形成されており、該支持板部７３および補強リブ７３ａを溝部１４５に臨ませることで、固定具１４０の通孔１４４とネジ止めボス７４の第３ネジ孔７４ａとが前後に整列するようになっている。また、前記各固定具１４０には、配線フック１４６が形成されており、前記第１コネクタ受け部２６ａと第３コネクタ受け部１３２とを接続する配線(図示せず)を係止し得るようになっている。
【００５１】
〔実施例の作用〕
次に、前述した実施例に係るドラム式図柄表示装置２０の作用に付き説明する。前記ドラム式図柄表示装置２０に設けられる各図柄表示ユニット２１は、ベース板金２７に駆動モータ３１を配設して、該駆動モータ３１をプリント配線板２４に開設した開口部２４ａに挿通した状態で、プリント配線板２４とベース板金２７とを固定することで、図柄表示ユニット２１の支持板２３を構成している。このように、プリント配線板２４に対してベース板金２７を重ねることで、図柄表示ユニット２１(支持板２３)の剛性を飛躍的に高めることができる。このとき、前記プリント配線板２４には、前記駆動モータ３１に配線接続される第２コネクタ受け部２６ｂや、照明手段４１のＬＥＤ４２を表面実装したことで、プリント配線板２４の裏面から部品リードが突出することはなく、該部品リードを逃がすための逃げ孔をベース板金２７に設ける必要がない。従って、ベース板金２７によるプリント配線板２４の補強効果の低下を招来することはなく、またベース板金２７の加工に要する手間を省略してコストの低減を図り得る。そして、ベース板金２７に駆動モータ３１が取り付けられることで、ベース板金２７が所謂ヒートシンクとして機能し、該駆動モータ３１の過熱を防止することができる。
【００５２】
また、前記図柄表示ユニット２１は、前記プリント配線板２４とベース板金２７とを固定した状態で、駆動モータ３１の回転軸３１ａを図柄ドラム３４の固定板３５に形成した通孔３５ａに挿入すると共に、該固定板３５に形成した位置決め突部を駆動モータ３１の円盤状部材３２に形成した位置決め孔３２ａに挿入することで、駆動モータ３１に対して図柄ドラム３４を組み付けるようになっている。すなわち、前記駆動モータ３１の回転軸３１ａおよび図柄ドラム３４(固定板３５)の通孔３５ａによる位置決めと、駆動モータ３１(円盤状部材３２)の位置決め孔３２ａおよび図柄ドラム３４(固定板３５)の突起部３５ｂによる位置決めとにより、該駆動モータ３１に内蔵した原位置検出センサと図柄ドラム３４に表示された図柄とを常に一定の位置関係となるよう組み付け得る。従って、原位置検出センサの検出に基づいて駆動モータ３１を駆動制御することで、前記図柄ドラム３４に表示した各図柄を任意の位置で停止させることが可能となる。
【００５３】
前記図柄表示ユニット２１は、前記支持板２３(プリント配線板２４およびベース板金２７)の前端縁側にカバー部材５０が配設されて、該前端縁をカバー部材５０で覆うよう構成されている。このため、図柄表示ユニット２１をドラムケース６０に収容した際に、前記支持板２３の前端縁(プリント配線板２４およびベース板金２７の合わせ面)が遊技者側からは見えないから、ドラム式図柄表示装置２０の外観を損なうのを防止することができる。
【００５４】
また、前記カバー部材５０に形成した被覆片５５が、前記照明手段４１のＬＥＤの前方まで延出すると共に、前記図柄ドラム３４の内側に臨むよう延出するから、ＬＥＤ４２の発光時に、図柄ドラム３４と支持板２３(プリント配線板２４)との間から光が漏れるのを防止し得る。そして、前記ＬＥＤ４２の発光時には、該ＬＥＤ４２が照射した光をリフレクタ部材４３の各反射面４４ａ,４４ｂ,４４ｃ,４４ｄで反射した反射光が前記図柄ドラム３４の図柄フィルム３９に照射されて、前側に到来した図柄を明輝するようになっている。このように、前記図柄ドラム３４の図柄をリフレクタ部材４３からの反射光だけで照明することで、図柄を均一な明るさで照明することができ、照明斑の発生を防止することが可能となる。
【００５５】
また、前記リフレクタ部材４３およびカバー部材５０を前記支持板２３に取り付けるには、該カバー部材５０の円弧状被覆部５１を支持板２３(プリント配線板２４およびベース板金２７)の円弧状端縁２５,２８に前側から当接させると共に、該カバー部材５０に形成した突出片５１ａをプリント配線板２４の表面に当接させて、カバー部材５０を支持板２３に対して位置決めする。このとき、プリント配線板２４の第１嵌挿孔２４ｂ,２４ｂと、カバー部材５０における当接片５４の第２嵌挿孔５４ａ,５４ａとが整列するから、この第１および第２嵌挿孔２４ｂ,５４ａの夫々に対してリフレクタ部材４３のボス部４６,４６を嵌挿することにより、リフレクタ部材４３とカバー部材５０とが支持板２３に対して一度に位置決めされる。このとき、前記ボス部４６,４６の通孔４６ａ,４６ａの夫々は、前記ベース板金２７に形成した前記第１ネジ孔２７ａ,２７ａに整列するから、各通孔４６ａに挿通したネジを対応の第１ネジ孔２７ａに螺挿する。このとき、リフレクタ部材４３の取着片４５,４５の夫々とプリント配線板２４との間に、前記カバー部材５０の当接片５４,５４が挟み込まれるから、リフレクタ部材４３をベース板金２７に対してネジ止めすることで、リフレクタ部材４３、カバー部材５０およびプリント配線板２４の３つの部材を一度に固定できる。
【００５６】
前記各図柄表示ユニット２１をドラムケース６０内に収容保持するには、前記支持板２３の後側上下位置においてプリント配線板２４とベース板金２７とが重なり合う部位を、後ケース体６２に形成した第１後側挟持部７０の一対の規制突部７０ａ,７０ａの間に差込むと共に、後ケース体６２に形成した第２後側挟持部７１の一対の第１差込み片７１ａ,７１ａの間に差込む。これにより、前記図柄表示ユニット２１の後側が位置決め保持される。この状態で、図柄表示ユニット２１の前方から前ケース体７６を臨ませて、前記支持板２３の前側下部位置においてプリント配線板２４とベース板金２７とが重なり合う部位を、前ケース体７６に形成した前側挟持部８３の一対の第２差込み片８３ａ,８３ａの間に差込むと共に、前記カバー部材５０の上端部に形成された差込み係合部５６の一対の係合片５６ａ,５６ａの間に、前ケース体７６に形成した突条部８４を差込む。これにより、前記図柄表示ユニット２１の前側が位置決め保持される。このとき、前記前ケース体７６に形成した第１の内側段差部８１ａが前記支持板２３(カバー部材５０の差込み係合部５６)の前端部に当接すると共に、第２の内側段差部８１ｂが支持板２３の前側下端部に当接するから、図柄表示ユニット２１の前方移動が規制され、ドラムケース６０内の所定位置に前記図柄表示ユニット２１が保持される。
【００５７】
ここで、前述の如く、前記第１後側挟持部７０、第２後側挟持部７１および前側挟持部８３の夫々は、前記プリント配線板２４とベース板金２７とが重なり合う部位で支持板２３を挟み込むから、搬送時の振動等によりプリント配線板２４が損傷するのを防止し得ると共に、プリント配線板２４とベース板金２７とが剥離して両部材２４,２７間に隙間が空くのを阻止し得る。また、前記カバー部材５０に形成した一対の係合片５６ａ,５６ａの離間寸法と、前記突条部８４の幅寸法の関係を、該突条部８４の幅寸法の方が僅かに大きくなる条件で略同一に設定したことで、前後に互違いに形成された一対の係合片５６ａ,５６ａに突条部８４を差込んだ際に、該係合片５６ａ,５６ａで突条部８４が噛み込まれるように挟まれて、ドラムケース６０内に図柄表示ユニット２１を強固に保持することができる。このとき、前記突条部８４の後端には、後方へ向けて先細りとなるようにテーパ部が形成されており、突条部８４を差込む際にテーパ部を係合片５６ａ,５６ａ間に臨ませるようにしたことで、突条部８４を係合片５６ａ,５６ａ間に容易に差込むことができる。
【００５８】
このように、図柄表示ユニット２１は、前後のケース体６２,７６で挟むことで支持板２３における４隅近傍が支持されるから、図柄表示ユニット２１の安定性が向上する。そして、図柄表示ユニット２１が安定した状態で透明カバー体９０および上下の金属板１１１,１２５を組み付けられるから、組み付け作業を容易に行ない得る。更に、図柄表示ユニット２１をドラムケース６０に収容した際には、前記支持板２３におけるベース板金２７に形成した固定片２９の第２ネジ孔２９ａが後ケース体６２の後壁面６４に形成したネジ挿通孔６４ｂに前後に整列するよう構成されている。従って、前記ドラムケース６０の外側から前記ベース板金２７に形成した固定片２９の第２ネジ孔２９ａにネジを螺挿することができ、ドラムケース６０内に収容した図柄表示ユニット２１のガタツキを効果的に防止できる。
【００５９】
前記ドラムケース６０に対して金属枠部材１１０を取り付ける場合には、先ず下側金属板１２５に形成した各第２規制部１２９の係止片１１８,１１８を、前記透明カバー体９０の下面部９３に形成した第２引掛け部９７の一対の鈎状凹部９８,９８(係合面部９８ａ,９８ａ)の前方に位置させた状態で、該第２規制部１２９の延出片１１７を鈎状凹部９８,９８(係合面部９８ａ,９８ａ)の間に臨ませて、該下側金属板１２５を後方に移動し、第２規制部１２９の係止片１１８,１１８を第２引掛け部９７の係合面部９８ａ,９８ａに当接係合させる。ここで、前記透明カバー体９０の下面部９３には、前記各第２引掛け部９７と対応する位置に傾斜面９９が形成されているから、前記下側金属板１２５の下板部１２６が後方へ下方傾斜した姿勢で、第２規制部１２９の係止片１１８,１１８を第２引掛け部９７の係合面部９８ａ,９８ａに当接係合させ得る。すなわち、前記下側金属板１２５を傾斜させることで、該下側金属板１２５の後板部１２８がドラムケース６０に干渉するのを回避でき、該下側金属板１２５を後方移動した際には、該傾斜面９９に沿って第２規制部１２９の係止片１１８,１１８が第２引掛け部９７の係合面部９８ａ,９８ａへ向けて自然に案内されるから、各係止片１１８,１１８を第２引掛け部９７の係合面部９８ａ,９８ａに対して容易に係合させることができ、該下側金属板１２５の組み付け作業性の向上を図り得る。
【００６０】
そして、前記第２規制部１２９の係止片１１８,１１８が第２引掛け部９７の係合面部９８ａ,９８ａに当接係合した状態で、前記下側金属板１２５の後板部１２８を前記ドラムケース６０(後ケース体６２の後壁面６４)に向けて近接移動させ、該後ケース体６２に形成した位置決め突部６４ｃ,６４ｃを、下側金属板１２５の後板部１２８に形成した位置決め孔１２８ｂ,１２８ｂに嵌合させる。このとき、下側金属板１２５の後板部１２８に形成した前記第１の位置決め開口部１２８ｃおよび第２の位置決め開口部１２８ｄの内縁に、前記後ケース体６２の後壁面６４に形成した４つの位置決め突片６４ｄが当接する(図１８参照)。すなわち、前記位置決め孔１２８ｂ,１２８ｂに位置決め突部６４ｃ,６４ｃが嵌合すると共に、前記第１および第２の第２の位置決め開口部１２８ｃ,１２８ｄの内縁に位置決め突片６４ｄすることで、下側金属板１２５の上下方向への移動および左右方向への移動が規制されて、ドラムケース６０に対して下側金属板１２５が仮止めされる。
【００６１】
同様に、上側金属板１１１に形成した各第１規制部１１６の係止片１１８,１１８を、前記透明カバー体９０の上面部９２に形成した第１引掛け部９６の一対の鈎状凹部９８,９８(係合面部９８ａ,９８ａ)の前方に位置させた状態で、該第１規制部１１６の延出片１１７を鈎状凹部９８,９８(係合面部９８ａ,９８ａ)の間に臨ませて、該上側金属板１１１を後方に移動し、第１規制部１１６の係止片１１８,１１８を第１引掛け部９６の係合面部９８ａ,９８ａに当接係合させる。ここで、前記透明カバー体９０の上面部９２には、前記各第１引掛け部９６と対応する位置に傾斜面９９が形成されているから、前記上側金属板１１１の上板部１１２が後方へ上方傾斜した姿勢で、第１規制部１１６の係止片１１８,１１８を第１引掛け部９６の係合面部９８ａ,９８ａに当接係合させ得る。すなわち、前記上側金属板１１１を傾斜させることで、該上側金属板１１１の後板部１１４がドラムケース６０に干渉するのを回避でき、該上側金属板１１１を後方移動した際には、該傾斜面９９に沿って第１規制部１１６の係止片１１８,１１８が第１引掛け部９６の係合面部９８ａ,９８ａへ向けて自然に案内されるから、各係止片１１８,１１８を第１引掛け部９６の係合面部９８ａ,９８ａに対して容易に係合させることができ、該上側金属板１１１の組み付け作業性の向上を図り得る。
【００６２】
そして、前記第１規制部１１６の係止片１１８,１１８が第１引掛け部９６の係合面部９８ａ,９８ａに当接係合した状態で、前記上側金属板１１１の後板部１１４を前記ドラムケース６０(後ケース体６２の後壁面６４)に向けて近接移動させ、該後ケース体６２に形成した位置決め突部６４ｃ,６４ｃを、上側金属板１１１の後板部１１４に形成した位置決め孔１１４ｂ,１１４ｂに嵌合させる。このとき、上側金属板１１１の後板部１１４に形成した前記第１の位置決め開口部１１４ｃおよび第２の位置決め開口部１１４ｄの内縁に、前記後ケース体６２の後壁面６４に形成した４つの位置決め突片６４ｄが当接する(図１８参照)。すなわち、前記位置決め孔１１４ｂ,１１４ｂに位置決め突部６４ｃ,６４ｃが嵌合すると共に、前記第１および第２の第２の位置決め開口部１１４ｃ,１１４ｄの内縁に位置決め突片６４ｄすることで、上側金属板１１１の上下方向への移動および左右方向への移動が規制され、上側金属板１１１の後板部１１４と、下側金属板１２５の後板部１２８とが重なり合う状態で、ドラムケース６０に対して上側金属板１１１を仮止めする。
【００６３】
このとき、前記上側金属板１１１の後板部１１４に形成したネジ挿通孔１１４ａと、前記下側金属板１２５の後板部１２８に形成したネジ挿通孔１２８ａの夫々が、前記後ケース体６２の後壁面６４に形成したネジ挿通孔６４ｂに整合し、該上側金属板１１１の外側から各ネジ挿通孔１１４ａ,１２８ａ,６４ｂの夫々に挿通したネジを、ドラムケース６０内に収容した前記図柄表示ユニット２１(支持板２３)の固定片２９の第２ネジ孔２９ａに螺挿することで、上下の金属板１１１,１２５がドラムケース６０に固定される。このように、上下の金属板１１１,１２５をドラムケース６０に組み付ける際には、透明カバー体９０の上下面部９２,９３に形成した第１および第２引掛け部９６,９７に対して各金属板１１１,１２５に形成した係止片１１８,１１８を前側から対応して係合させると共に、各金属板１１１,１２５の重なり合う部位で、後ケース体６２にネジ止めするだけでよいから、簡単な作業で金属板１１１,１２５を組み付けることができる。
【００６４】
このように、実施例に係るドラム式図柄表示装置２０では、ドラムケース６０の外面に取り付ける金属枠部材１１０を、上側金属板１１１および下側金属板１２５からなる分割構造としたことで、該ドラムケース６０に対して上側金属板１１１および下側金属板１２５の夫々を個別に取り付けることができる。すなわち、ドラムケース６０の上面から後面を経て下面に亘る範囲を覆うように一枚の金属板を折曲形成した金属枠部材を該ドラムケース６０に組み付ける場合には、上面および下面に対応する板部分を拡開してドラムケース６０を差込む必要があり、作業性に劣る欠点がある。これに対して実施例では、金属枠部材１１０を上下の金属板１１１,１２５に分割したことで、該上下の金属板１１１,１２５の間にドラムケース６０を差込むような煩雑な作業を必要とせず、組み付け作業性の向上を図り得る。更に、ドラムケース６０に対して上下の金属板１１１,１２５を仮止めした状態でネジ固定できるから、該上下の金属板１１１,１２５の組み付け作業性が格段に向上する。
【００６５】
更に、前述のように、前記上下の金属板１１１,１２５における第１および第２規制部１１６,１２９の延出片１１７が、前記透明カバー体９０における対応の第１および第２引掛け部９６,９７における一対の鈎状凹部９８,９８の間に臨むよう構成してある。従って、上下の金属板１１１,１２５をドラムケース６０に組み付けるに際し、各金属板１１１,１２５の左右方向の位置決めがなされ、各金属板１１１,１２５を位置決めした状態で前記係止片１１８,１１８を鈎状凹部９８,９８の係合面部９８ａ,９８ａに係合させ得るから、金属板１１１,１２５の取付作業性が大幅に向上される。
【００６６】
そして、前記上側金属板１１１および下側金属板１２５を、相互に重なり合う後板部１１４,１２８で前記後ケース体６２(図柄表示ユニット２１の固定片２９)に固定するよう構成したことで、各金属板１１１,１２５を個別に固定する場合に較べ、両金属板１１１,１２５の一体性が向上し、ドラムケース６０の変形や破損をより効果的に防止することができる。また、上下の金属板１１１,１２５が重なり合う部位でネジ止めすることで、金属板１１１,１２５のネジ止め箇所を削減でき、作業効率の向上をも図り得る利点がある。更に、上下の金属板１１１,１２５をネジ止めすることで、ドラムケース６０に収容した前記図柄表示ユニット２１も固定されるから、図柄表示ユニット２１のガタツキを効果的に抑制することが可能となる。
【００６７】
前記制御装置１３０を前記ドラムケース６０に配設するには、該制御装置１３０の前端部に形成した第１係合突部１３３を、前記上側金属板１１１に形成した立上がり壁１１９の係止孔１１９ａに挿入する。その後に、前記制御装置１３０の後端部に形成した第２係合突部１３４,１３４と固定具１４０,１４０の係合凹部１４３,１４３とを係合させて、該固定具１４０,１４０を前記後ケース体６２の支持板部７３に設けたネジ止めボス７４にネジ止めすることで、該制御装置１３０がドラムケース６０の上面に固定されるから、制御装置１３０を簡単な作業で設置することができる。
【００６８】
ここで、前記各図柄表示ユニット２１を前記ドラムケース６０内に収容した状態では、前記後ケース体６２の上傾斜面６６に開設した第１通出孔７２および上側金属板１１１の上傾斜板部１１３に開設した第２通出孔１２２を介して、該図柄表示ユニット２１の支持板２３の上方後端部がケース外方に突出し、制御装置１３０に対して配線接続される各第１コネクタ受け部２６ａがケースの外側に位置する。従って、ドラムケース６０の上面に設置した前記制御装置１３０の各第３コネクタ受け部１３２を、対応する第１コネクタ受け部２６ａに対して容易に着脱することができ、配線接続の作業性向上が図られる。ここで、前記各図柄表示ユニット２１は、支持板２３を構成するベース板金２７を、プリント配線板２４に配設された前記第１コネクタ受け部２６ａと対応する位置で切り欠くよう構成されて、該プリント配線板２４に対して、部品リードがスルーホールを介して裏面に突出する形態で第１コネクタ受け部２６ａが実装されている。従って、第１コネクタ受け部２６ａは、表面実装に較べてプリント配線板２４に対して強固に固定されるから、該第１コネクタ受け部２６ａに対して前記制御装置１３０からの配線を着脱しても、プリント配線板２４との固定部分(ハンダ付け部分)の剥離等の不都合が生ずるのを防止できる。特に、実施例では、前記第１コネクタ受け部２６ａのコネクタの差込み口を支持板２３の後方側に向く姿勢で取り付けたことで、前記第１通出孔７２および第２通出孔１２２から突出した第１コネクタ受け部２６ａに対して接続が容易になる一方で、配線接続時の負荷がプリント配線板２４と平行な方向に作用するため、表面実装により第１コネクタ受け部２６ａを取り付けた場合には、第１コネクタ受け部２６ａの脱落を招来する虞も指摘されるが、実施例のように部品リードを裏面に突出させた形態で第１コネクタ受け部２６ａを実装することで、第１コネクタ受け部２６ａの脱落を効果的に防止することが可能となる。
【００６９】
また、前記支持板部７３は、前記後ケース体６２の左右方向に離間する４箇所に設けられているから、前記制御装置１３０をドラムケース６０の上面に設置した状態では、該制御装置１３０の下面が支持板部７３により複数箇所で支持され、制御装置１３０の安定感が増大する。更に、前記各支持板部７３は前記制御装置１３０の前後の所定長さ(実施例では制御装置１３０の前後寸法の約１／３)に亘って延在して支持するよう構成したことで、耐衝撃性が向上し、パチンコ機の運搬時等の振動によって支持板部７３が損傷して制御装置１３０が脱落するのを防止し得る。
【００７０】
また、前記固定具１４０,１４０に形成した各溝部１４５を、前記支持板部７３および補強リブ７３ａと整合するだけで、固定具１４０,１４０に形成した通孔１４４,１４４と前記ネジ止めボス７４に形成した第３ネジ孔７４ａ,７４ａとが整合するから、該固定具１４０,１４０の取付作業を簡単に行なうことができる。そして、制御装置１３０をドラムケース６０の上面に配設した際には、前記立上がり壁１１９および上側金属板１１１の上板部１１２の前端に形成した第２位置規制片１２０が制御装置１３０の前端部に当接して、制御装置１３０の前方移動を規制している。更に、前記上側金属板１１１に形成した第３位置規制片１２１が制御装置１３０の側面に当接して制御装置１３０の左右方向の移動を規制すると共に、該制御装置１３０の左右側面から突出した連結固定部１３５,１３５が該第３位置規制片１２１の前端に当接して、制御装置１３０の後方移動を規制する。すなわち、制御装置１３０をドラムケース６０の上面に配設した際には、前記固定具１４０,１４０により固定する前の段階であっても、前記制御装置１３０の前後方向および左右方向の移動を規制し得るから、該制御装置１３０の脱落を阻止して固定具１４０,１４０による固定作業を容易に行ない得ることが可能となる。
【００７１】
更に、前記制御装置１３０を前記ドラムケース６０の上面に配設した際には、該制御装置１３０の下面が前記透明カバー体９０に形成した第１引掛け部９６および前記各支持板部７３に当接して、該制御装置１３０と金属枠部材１１０(上側金属板１１１)との間に隙間Ｓが画成されるようになっている。従って、ドラム式図柄表示装置２０の内部で発生した熱(駆動モータ３１の駆動による発熱)は、この制御装置１３０と金属枠部材１１０(上側金属板１１１)との間の隙間Ｓを介して外部に放熱し得るから、制御装置１３０に悪影響を及ぼすのを防止し得る利点がある。
【００７２】
また、前記固定具１４０,１４０の夫々に配線フック１４６,１４６を設けたことで、前記ドラム式図柄表示装置２０の図柄表示ユニット２１に設けた第１コネクタ受け部２６ａと、制御装置１３０に設けた第３コネクタ受け部１３２とを接続する配線を留めることができる。このため、ドラム式図柄表示装置２０を前記遊技盤１０の裏側に設けた設置部材１６に着脱する際に、配線が他の部品に引っ掛かるのを防止でき、ドラム式図柄表示装置２０の着脱作業が容易になる。また、配線フック１４６,１４６を固定具１４０,１４０に一体的に設けたことで、別途配線フックを設ける場合に較べて部品点数を少なくでき、コストと削減に寄与し得る。
【００７３】
〔変更例〕
なお、本発明に係る遊技機用の図柄表示装置としては、実施例のものに限られるものではなく、種々の変更が可能である。
実施例では、上側金属板の後板部と、下側金属板の後板部とを単に重ね合わせるように構成したが、該上側金属板および下側金属板の組み付け順序を規定する組み付け順序規定手段を設けるようにしてもよい。例えば、実施例において後ケース体の後壁面に形成した位置決め突片を組み付け順序規定手段として利用することが可能であり、その他の手段を設けることも可能である。
【００７４】
ここで、上側金属板および下側金属板の組み付け順序を規定する具体例としては、図２１(a)〜(c)に示すように、前記後ケース体６２の後壁面６４に形成された４つの位置決め突片６４ｄの内、左側２つの位置決め突片６４ｄの突出寸法を上下の金属板１１１,１２５を重ね合わせた板厚と同等に設定し、右側２つの位置決め突片６４ｄの突出寸法を下側金属板１２５の板厚以下の寸法に設定する。そして、下側金属板１２５には、前記位置決め突片６４ｄを挿通可能な前記第１の位置決め開口部１２８ｃおよび第２の位置決め開口部１２８ｄを夫々形成する。更に、前記上側金属板１１１における位置決め突片６４ｄとの対応位置には、左側２つの位置決め突片６４ｄを囲繞する第１の位置決め開口部１１４ｃを開設する一方で、右側２つの位置決め突片６４ｄに対応する位置に、該位置決め突片６４ｄに干渉する板部１１４ｅを形成する。これにより、前記下側金属板１２５をドラムケース６０に対して先に組み付けた際には、前記後ケース体６２に形成した各位置決め突片６４ｄが第１および第２の位置決め開口部１２８ｃ,１２８ｄに臨んで、当該下側金属板１２５の組み付けが許容される(図２１(b)参照)。反対に、前記上側金属板１１１をドラムケース６０に対して先に組み付けた際には、後ケース体６２に形成した右側２つの位置決め突片６４ｄが上側金属板１１１の板部１１４ｅに干渉して組み付けが阻止されることになる(図２１(c)参照)。従って、上下の金属板１１１,１２５を正しい組み付け順序でドラムケース６０に組み付けることが可能となる(図２１(a)参照)。すなわち、この変更例では、後ケース体６２における位置決め突片６４ｄと、上側金属板１１１における第１の位置決め開口部１１４ｃおよび板部１１４ｅと、下側金属板１２５における第１および第２の位置決め開口部１２８ｃ,１２８ｄとの夫々が組み付け順序規定手段として機能するものである。
【００７５】
なお、前記組み付け順序規定手段に関しては、前述した変更例のものに限られるものではなく、後ケース体および上下の金属板の夫々に形成される各種構成・部材の組合せにより、所定の順序で組み付けた場合に限り、上下の金属板をドラムケースに組み付け得るようにすればよい。
【００７６】
実施例では、図柄表示ユニットのプリント配線板に配設した第１コネクタ受け部を、部品リードがプリント配線板の裏面に突出するよう構成し、ベース板金の対応位置を切り欠くよう構成したが、該第１コネクタ受け部をプリント配線板の表面に表面実装して、プリント配線板とベース板金とを完全に整合する形状に形成することもできる。
【００７７】
実施例では、支持板の前側に配設したカバー部材の上端部に差込み係合部を形成して、前ケース体に形成した突条部を差込むよう構成したが、これに限られるものではなく、該カバー部材の下端部に差込み係合部を形成して、前ケース体に形成した突条部を差込むよう構成することもできる。また、前ケース体の上壁面に一対の差込み片からなる前側挟持部を形成して、前記支持板(プリント配線板およびベース板金の重なる部位)の前側上部位置を、該前側挟持部に差込むようにしてもよい。すなわち、前ケース体における上下の壁面に一対の差込み片からなる前側挟持部を形成して、前記支持板(プリント配線板およびベース板金の重なる部位)の前側上部位置および前側下部位置を、対応する前側挟持部に差込んで保持することも可能である。
【００７８】
実施例では、発光体(ＬＥＤ)とリフレクタ部材とからなる照明手段を図柄表示ユニットに設けて、リフレクタ部材からの反射光が図柄表示体の図柄に照射されるよう構成したが、これに限られるものではなく、発光体からの光を図柄表示体の図柄に直接照射するよう構成してもよい。また、前記発光体としてはＬＥＤに限定されるものではなく、プリント配線板に表面実装可能であれば何れの発光体であってもよい。
【００７９】
実施例では、収容ケース内に４基の図柄表示ユニットを収容したが、これに限らず、２基や３基、あるいは５基以上の図柄表示ユニットを収容ケース内に収容する構成であってもよい。
【００８０】
実施例では、前記上下の金属板の前端部に延出片と一対の係止片からなるＴ字状の規制部を夫々形成するようにしたが、これに限定されるものではなく、延出片の端部から一側方へだけ係止片が突出するＬ字状に形成することもできる。前記規制部をＬ字状に形成した場合には、対応する引掛け部は１つの鈎状凹部から構成するだけでよい。
【００８１】
実施例では、収容ケースのケース本体を構成する後ケース体を、上下の壁面、左右の側壁面、後壁面および上下の傾斜面から構成するようにしたが、左右の側壁面、後壁面および上下の傾斜面から後ケース体を構成するようにしてもよい。この場合には、金属枠部材の上側金属板は、前ケース体の上壁面から後ケース体の上傾斜面を経て後壁面まで延在するよう形成され、金属枠部材の下側金属板は、前ケース体の下壁面から後ケース体の下傾斜面を経て後壁面まで延在するよう形成される。すなわち、前記上側金属板は、前後のケース体を含めたケース本体の上壁面から後壁面まで延在する形状に形成すればよく、前記下側金属板は、前後のケース体を含めたケース本体の下壁面から後壁面まで延在する形状に形成すればよい。
【００８２】
実施例では、遊技機として、一般的なパチンコ機に図柄表示装置を配設する場合について説明したが、これに限られるものではなく、スロットマシン機等にも好適に使用することができる。また、回転表示体としては、実施例に示した図柄ドラムに限られるものではなく、外周面に各種図柄が表示された従来公知の無端状の図柄ベルトを採用することもできる。
【図面の簡単な説明】
【００８３】
【図１】本発明の実施例に係るドラム式図柄表示装置を示す分解斜視図である。
【図２】実施例に係るドラム式図柄表示装置を配設した遊技盤の正面図である。
【図３】実施例に係るドラム式図柄表示装置を配設した遊技盤の背面図である。
【図４】実施例に係るドラム式図柄表示装置に、制御装置を載置した状態を示す斜視図である。
【図５】実施例に係る図柄表示ユニットの分解斜視図である。
【図６】実施例に係る図柄表示ユニットの支持板、リフレクタ部材およびカバー部材を分解して背面側から視た状態を示す斜視図である。
【図７】実施例に係る図柄表示ユニットから図柄ドラムを取り外した状態を示す斜視図である。
【図８】実施例に係る図柄表示ユニットの側面図である。
【図９】図８のＡ―Ａ線断面図である。
【図１０】実施例に係る図柄表示ユニットにおけるカバー部材の配設位置を示す断面図である。
【図１１】実施例に係るケース本体を示す分解斜視図である。
【図１２】実施例に係るケース本体を背面側から視た状態で示す分解斜視図である。
【図１３】実施例に係る後ケース体を示す斜視図である。
【図１４】実施例に係るケース本体内に１基の図柄表示ユニットを収容した状態を示す斜視図である。
【図１５】実施例に係る上側金属板を背面側から視た状態を示す斜視図である。
【図１６】実施例に係る下側金属板を背面側から視た状態を示す斜視図である。
【図１７】実施例における第１規制部と第１引掛け部との係合状態を示し、(a)は第１規制部と第１引掛け部との係合状態を拡大して示す縦断面図であって、(b)は(a)におけるＢ―Ｂ線断面図である。
【図１８】実施例に係るドラム式図柄表示装置に制御装置を載置して背面側から視た状態を示す斜視図である。
【図１９】実施例に係るドラム式図柄表示装置の縦断側面図である。
【図２０】実施例に係る一対の固定具を示す斜視図であって、(a)は固定具を正面側から視た状態を示し、(b)は固定具を背面側から視た状態を示す。
【図２１】変更例に係る上側金属板および下側金属板の組み付け順序を規定する構成の概略説明図であり、(a)は上下の金属板を組み付けた状態を示し、(b)は後ケース体に対して下側金属板を先に組み付ける状態を示し、(c)は後ケース体に対して上側金属板を先に組み付ける状態を示す。
【符号の説明】
【００８４】
２１  図柄表示ユニット
２４  プリント配線板
２４ａ  開口部
２６ｂ  第２コネクタ受け部(配線接続手段)
２７  ベース板金  
２９ａ  第２ネジ孔(ネジ孔)
３１  駆動モータ
３４  図柄ドラム(回転表示体)
４２  ＬＥＤ(発光体)
６０  ドラムケース(収容ケース)
６３  上壁面
６４  後壁面
６４ｂ  ネジ挿通孔
６５  下壁面
７０  第１後側挟持部(挟持部)
７１  第２後側挟持部(挟持部)
７７  上壁面
７８  下壁面
８３  前側挟持部(挟持部)
１１０  金属枠部材
１１１  上側金属板(上側金属部材)
１１４ａ  ネジ挿通孔
１２５  下側金属板(下側金属部材)
１２８ａ  ネジ挿通孔
【図１】
0005158767.tif 000002
【図２】
0005158767.tif 000003
【図３】
0005158767.tif 000004
【図４】
0005158767.tif 000005
【図５】
0005158767.tif 000006
【図６】
0005158767.tif 000007
【図７】
0005158767.tif 000008
【図８】
0005158767.tif 000009
【図９】
0005158767.tif 000010
【図１０】
0005158767.tif 000011
【図１１】
0005158767.tif 000012
【図１２】
0005158767.tif 000013
【図１３】
0005158767.tif 000014
【図１４】
0005158767.tif 000015
【図１５】
0005158767.tif 000016
【図１６】
0005158767.tif 000017
【図１７】
0005158767.tif 000018
【図１８】
0005158767.tif 000019
【図１９】
0005158767.tif 000020
【図２０】
0005158767.tif 000021
【図２１】
0005158767.tif 000022